(57)【要約】【課題】録画予約を１回行うのみで、複数回に渡って放送される番組の全てを確実に録画する。【解決手段】録画予約された番組の録画に必要となる大きさの優先記録領域を情報記録媒体６中に確保する領域確保手段１７を備えた構成において、予約入力手段１０は、録画予約された番組の放送回数の入力を求め、領域確保手段１７は、録画予約された番組の１回の放送分を録画するのに必要となる記録領域の大きさに、入力された放送回数を乗じた大きさの優先記録領域を確保し、予約実行手段１８は、録画予約された番組の優先記録領域への録画を、入力された放送回数分だけ実行する。【選択図】  図１
2006332865.tif 000002
【特許請求の範囲】
【請求項１】
チューナ部によって受信された番組が録画される情報記録媒体と、
録画予約が入力される予約入力手段と、
録画予約された番組の録画に必要となる大きさの優先記録領域を情報記録媒体中に確保する領域確保手段と、
確保された優先記録領域に録画予約に基づいて番組を録画する予約実行手段とを備えた映像音声記録装置において、
予約入力手段は、入力中の録画予約について、確保された優先記録領域に録画を行う優先録画モードと、録画の実行時に録画可能となっている領域に録画を行う通常録画モードとの２種のモードのうち、どちらのモードによる録画であるのかの指定の受け付けを行い、且つ、入力中の録画予約が優先録画モードに指定されるとともに前記入力中の録画予約が、毎週の所定曜日毎に録画を行う録画予約等のように録画回数が複数回となる録画予約となるときに放送回数の入力を求め、
領域確保手段は、録画予約された番組の１回の放送分を録画するのに必要となる記録領域の大きさに、入力された放送回数を乗じた大きさの優先記録領域を確保するとともに、確保した優先記録領域の大きさと優先記録領域を除いた空き領域の大きさとを表示し、且つ、優先記録領域が確保された録画予約が取り消しされたときには、取り消しされた録画予約のために確保された優先記録領域のうち、番組が録画されずに残った優先記録領域を空き領域として開放し、
予約実行手段は、録画予約された番組の優先記録領域への録画を、入力された放送回数分だけ実行することを特徴とする映像音声記録装置。
【請求項２】
チューナ部によって受信された番組が録画される情報記録媒体と、
録画予約が入力される予約入力手段と、
録画予約された番組の録画に必要となる大きさの優先記録領域を情報記録媒体中に確保する領域確保手段と、
確保された優先記録領域に録画予約に基づいて番組を録画する予約実行手段とを備えた映像音声記録装置において、
予約入力手段は、録画予約された番組の放送回数の入力を求め、
領域確保手段は、録画予約された番組の１回の放送分を録画するのに必要となる記録領域の大きさに、入力された放送回数を乗じた大きさの優先記録領域を確保し、
予約実行手段は、録画予約された番組の優先記録領域への録画を、入力された放送回数分だけ実行することを特徴とする映像音声記録装置。
【請求項３】
予約入力手段は、入力中の録画予約について、確保された優先記録領域に録画を行う優先録画モードと、録画の実行時に録画可能となっている領域に録画を行う通常録画モードとの２種のモードのうち、どちらのモードによる録画であるのかの指定の受け付けを行い、且つ、入力中の録画予約が優先録画モードに指定されるとともに前記入力中の録画予約が、毎週の所定曜日毎に録画を行う録画予約等のように録画回数が複数回となる録画予約となるときに放送回数の入力を求めることを特徴とする請求項２に記載の映像音声記録装置。
【請求項４】
領域確保手段は、優先記録領域を確保したときには、確保した優先記録領域の大きさと、優先記録領域を除いた空き領域の大きさとを表示することを特徴とする請求項２または請求項３に記載の映像音声記録装置。
【発明の詳細な説明】
【技術分野】
【０００１】
本発明は、録画予約された番組の録画に必要となる大きさの優先記録領域を情報記録媒体中に確保するとともに、確保した優先記録領域に録画予約に従って番組を録画する映像音声記録装置に関する。
【背景技術】
【０００２】
録画予約を行ったときには、番組が実際に放送される時刻に不在であっても、所望の番組を録画することが可能であるが、そのためには、録画する番組分の空きエリアを必要とする。従って、空きエリアが不足する事態が生じた場合、録画予約をしているにもかかわらず、録画予約が実行されない、という困った事態が生じる。このため、以下に示す技術が提案されている（第１の従来技術とする）。すなわち、この技術では、入力された録画予約のそれぞれについて、自動録画にするか、通常録画にするかの指定を可能にしている。そして、自動録画に指定された複数の番組のうち、最も録画時間が長くなる番組の録画が可能となる広さの自動録画専用領域を確保するとともに、自動録画に指定された番組については、常に自動録画専用領域に録画するようにしている。つまり、自動録画に設定された番組を、自動録画専用領域として予め確保された専用の領域に、上書き方式でもって録画するようにしている。このため、録画を多数回にわたって行うときであっても、録画領域は常に確保されることになる。その結果、録画領域が無いため、録画予約が実行されない、という事態の発生が防止される。また、録画済みの領域が不要に増加するという事態の発生も防止される（例えば、特許文献１参照）。
【０００３】
また、以下に示す技術が提案されている（第２の従来技術とする）。すなわち、この技術では、録画予約された番組を録画するために必要となる記録容量を算出している。そして、録画開始となるまでに、ハードディスクドライブ（ＨＤＤ）上に、上記した番組の録画に必要となる領域を、連続したＬＢＡ（Ｌｏｇｉｃａｌ  Ｂｌｏｃｋ  Ａｄｄｒｅｓｓｉｎｇ）あるいは物理セクタで確保している。そして、録画に必要な領域が確保された状態で、録画予約の開始時刻になると録画を実行している。すなわち、『映像ストリームの録画蓄積開始時には、ＨＤＤ上で一定の連続した領域で且つ録画分の領域が決まっており、その後に実行される実際の録画時に、その都度ファイルシステムによって毎回空き領域を探索する必要がないため、通常のファイルシステムの動作による速度の低下を回避することができる。また、一定の連続した領域に記録するため、ＨＤＤデバイスの非連続領域間への記録ヘッドの移動ジャンプによる構造的な速度低下も回避することができ、録画時または録画時および当該同一番組を同時に時間をずらしこの再生を行う、いわゆるタイムシフトにおけるアクセス速度が大きく改善することができる』ことになる（例えば、特許文献２参照）。
【特許文献１】特開２００１−１６７４９１号公報（第０１７０〜０１９９段落）
【特許文献２】特開２００４−１２０４７７号公報（第００１５〜００２９段落）
【発明の開示】
【発明が解決しようとする課題】
【０００４】
しかしながら、第１の従来技術を用いる場合には、以下に示す問題を生じていた。すなわち、録画のために必要となる領域は常に確保されるが、その録画方法が上書き方式となっている。このため、例えば、ドラマ等のように、毎週の特定の曜日に放送され、その内容が連続ものとなっている番組を自動録画に設定すると、録画が行われる毎に、前回の放送分が、上書きによって消去される。従って、毎週放送されるドラマの第１話から最終話までの全てを、録画して保存したいような場合では、適用することが困難な技術となっている。
【０００５】
また、第２の従来技術においては、『ＴＶ受信機ユーザは視聴しようとする、あるいは視聴中の番組を蓄積したい場合に視聴中の当該番組を選局し、ＥＰＧ等による事前予約なしに、番組蓄積装置付属のリモコン等で、録画釦を押下する』と、ＥＰＧ情報から、当該番組の日時、チャンネル、タイトル、ジャンル等の番組情報を取得する。そして後、当該番組の録画蓄積に必要な記録容量を求めるようになっている。つまり、ユーザによって番組の録画を指示される毎に、指示された番組の録画に必要となる領域を確保するようになっている。従って、例えば、ドラマ等のように、毎週放送される番組について、第１話から最終話までの全てを、録画予約によって録画しようとする場合、ドラマの話数毎に録画予約を行う必要がある。また、そのとき、録画のために必要となる空きエリアが常に確保されるかどうかは保証されない。つまり、１回の録画予約の入力によって、第１話から最終話までの全てを確実に録画可能にするものとはなっていない。
【０００６】
本発明は、上記の問題点を解決するため創案されたものであり、その目的は、録画予約を１回行うのみで、複数回に渡って放送される番組の全てを確実に録画することのでき、且つ、録画予約の入力項目の不要な増加を防止することのでき、且つ、その他の番組の録画に使用可能な空き領域の大きさを知らせることのでき、且つ、確保が不要となった領域を空き領域として開放することのできる映像音声記録装置を提供することにある。
【０００７】
また本発明の目的は、録画予約された番組の１回の放送分を録画するのに必要となる記録領域の大きさに、入力された放送回数を乗じた大きさの領域を優先記録領域として確保することにより、録画予約を１回行うのみで、複数回に渡って放送される番組の全てを確実に録画することのできる映像音声記録装置を提供することにある。
【０００８】
また、上記目的に加え、入力中の録画予約が、確保された優先記録領域に録画を行う優先録画モードに指定されるとともに、毎週の所定曜日毎に録画を行う録画予約等のように録画回数が複数回となる録画予約となるときに放送回数の入力を求めることにより、録画予約の入力項目の不要な増加を防止することのできる映像音声記録装置を提供することにある。
【０００９】
また、上記目的に加え、優先記録領域を確保したときには、確保した優先記録領域の大きさと、優先記録領域を除いた空き領域の大きさとを表示することにより、その他の番組の録画に使用可能な空き領域の大きさを知らせることのできる映像音声記録装置を提供することにある。
【課題を解決するための手段】
【００１０】
上記の課題を解決するため、本発明に係る映像音声記録装置は、チューナ部によって受信された番組が録画される情報記録媒体と、録画予約が入力される予約入力手段と、録画予約された番組の録画に必要となる大きさの優先記録領域を情報記録媒体中に確保する領域確保手段と、確保された優先記録領域に録画予約に基づいて番組を録画する予約実行手段とを備えた映像音声記録装置に適用している。そして、予約入力手段は、入力中の録画予約について、確保された優先記録領域に録画を行う優先録画モードと、録画の実行時に録画可能となっている領域に録画を行う通常録画モードとの２種のモードのうち、どちらのモードによる録画であるのかの指定の受け付けを行い、且つ、入力中の録画予約が優先録画モードに指定されるとともに前記入力中の録画予約が、毎週の所定曜日毎に録画を行う録画予約等のように録画回数が複数回となる録画予約となるときに放送回数の入力を求め、領域確保手段は、録画予約された番組の１回の放送分を録画するのに必要となる記録領域の大きさに、入力された放送回数を乗じた大きさの優先記録領域を確保するとともに、確保した優先記録領域の大きさと優先記録領域を除いた空き領域の大きさとを表示し、且つ、優先記録領域が確保された録画予約が取り消しされたときには、取り消しされた録画予約のために確保された優先記録領域のうち、番組が録画されずに残った優先記録領域を空き領域として開放し、予約実行手段は、録画予約された番組の優先記録領域への録画を、入力された放送回数分だけ実行するようになっている。
【００１１】
すなわち、録画予約の入力が済んだときには、第１話から最終話までの録画に必要となる大きさの優先記録領域が確保される。且つ、優先録画モードに指定しない録画予約や、優先録画モードに指定した録画予約であっても放送回数が１回の録画予約では、放送回数の入力を求められない。且つ、優先記録領域が確保されたために空き領域が変化するときでは、その都度、空き領域の大きさが表示される。且つ、確保が不要となった優先記録領域は空き領域として開放される。
【００１２】
また本発明に係る映像音声記録装置は、チューナ部によって受信された番組が録画される情報記録媒体と、録画予約が入力される予約入力手段と、録画予約された番組の録画に必要となる大きさの優先記録領域を情報記録媒体中に確保する領域確保手段と、確保された優先記録領域に録画予約に基づいて番組を録画する予約実行手段とを備えた映像音声記録装置に適用している。そして、予約入力手段は、録画予約された番組の放送回数の入力を求め、領域確保手段は、録画予約された番組の１回の放送分を録画するのに必要となる記録領域の大きさに、入力された放送回数を乗じた大きさの優先記録領域を確保し、予約実行手段は、録画予約された番組の優先記録領域への録画を、入力された放送回数分だけ実行するようになっている。すなわち、録画予約の入力が済んだときには、第１話から最終話までの録画に必要となる大きさの優先記録領域が確保される。
【００１３】
また、上記構成に加え、予約入力手段は、入力中の録画予約について、確保された優先記録領域に録画を行う優先録画モードと、録画の実行時に録画可能となっている領域に録画を行う通常録画モードとの２種のモードのうち、どちらのモードによる録画であるのかの指定の受け付けを行い、且つ、入力中の録画予約が優先録画モードに指定されるとともに前記入力中の録画予約が、毎週の所定曜日毎に録画を行う録画予約等のように録画回数が複数回となる録画予約となるときに放送回数の入力を求めるようになっている。すなわち、優先録画モードに指定しない録画予約や、優先録画モードに指定した録画予約であっても、放送回数が１回の録画予約では、放送回数の入力を求められない。
【００１４】
また、上記構成に加え、領域確保手段は、優先記録領域を確保したときには、確保した優先記録領域の大きさと、優先記録領域を除いた空き領域の大きさとを表示するようになっている。すなわち、優先記録領域が確保されたために空き領域が変化するときでは、その都度、空き領域の大きさが表示される。
【発明の効果】
【００１５】
本発明によれば、録画予約の入力が済んだときには、第１話から最終話までの録画に必要となる大きさの優先記録領域が確保される。また、優先録画モードに指定しない録画予約や、優先録画モードに指定した録画予約であっても、放送回数が１回の録画予約では、放送回数の入力を求められない。また、優先記録領域が確保されたために空き領域が変化するときでは、その都度、空き領域の大きさが表示される。また、確保が不要となった優先記録領域は空き領域として開放される。このため、録画予約を１回行うのみで、複数回に渡って放送される番組の全てを確実に録画することができ、且つ、録画予約の入力項目の不要な増加を防止することができ、且つ、その他の番組の録画に使用可能な空き領域の大きさを知らせることができ、且つ、確保が不要となった領域を空き領域として開放することができる。
【００１６】
また、本発明によれば、録画予約の入力が済んだときには、第１話から最終話までの録画に必要となる大きさの優先記録領域が確保されるので、記録領域が不足するという事態の発生が防止される。このため、録画予約を１回行うのみで、録画対象として指定され、複数回に渡って放送される番組の全てを確実に録画することができる。
【００１７】
また、さらに、優先録画モードに指定しない録画予約や、優先録画モードに指定した録画予約であっても、放送回数が１回の録画予約では、放送回数の入力を求められないので、録画予約の入力項目の不要な増加を防止することができる。
【００１８】
また、さらに、優先記録領域が確保されたために空き領域が変化するときでは、その都度、空き領域の大きさが表示されるので、その他の番組の録画に使用可能な空き領域の大きさを知らせることができる。
【発明を実施するための最良の形態】
【００１９】
以下、本発明の実施の形態について図を参照して説明する。
【００２０】
図１は、本発明に係る映像音声記録装置の一実施形態であるＤＶＤドライブ一体型ＨＤＤレコーダの電気的構成を示すブロック線図である。
【００２１】
図において、チューナ部１は、マイクロコンピュータ（以下では、マイコンと称する）７から指示されたチャンネルの商用放送を受信するとともに、受信して得られたアナログ映像信号（アナログ音声信号を含む）をＡ／Ｄ変換部２に出力する。Ａ／Ｄ変換部２は、チューナ部１から出力されるアナログ映像信号をデジタル映像信号（デジタル音声信号を含み、以下では、映像信号と称する）に変換し、信号処理部３に出力する。
【００２２】
ディスクドライブ部５は、信号処理部３より出力される映像音声情報を、ＤＶＤ１３に記録する。また、ＤＶＤ１３に記録された映像音声情報を再生して信号処理部３に出力する。ハードディスクドライブ部（以下では、ＨＤＤと称する）６は、信号処理部３より出力される映像音声情報を内部に記録する。また、内部に記録した映像音声情報を再生して信号処理部３に出力する。Ｄ／Ａ変換部４は、信号処理部３より出力されるデジタル映像信号（デジタル音声信号を含む）を、アナログ映像信号（アナログ音声信号を含む）に変換し、外部に設けられたテレビ受像機１４に出力する。
【００２３】
信号処理部３は、Ａ／Ｄ変換部２から出力される映像信号を、エンコード部１５を用い、ＭＰＥＧ２方式（音声信号についてはＡＣ−３方式等）で圧縮処理することによって得られた映像音声情報を、ディスクドライブ部５やＨＤＤ６に出力する。また、ディスクドライブ部５やＨＤＤ６から出力される映像音声情報を、デコード部１６を用い、ＭＰＥＧ２方式で伸長処理することによって得られたデジタル映像信号（ＡＣ−３方式等で伸長されたデジタル音声信号を含む）をＤ／Ａ変換部４に出力する。また、マイコン７からの指示に従い、ディスクドライブ部５から出力された映像音声情報をＨＤＤ６に転送する。また、ＨＤＤ６から出力された映像音声情報をディスクドライブ部５に転送する。
【００２４】
入力回路部８は、図示されない装置本体の前面パネルに設けられた電源キー等のキースイッチや、リモートコントローラ（以下では、リモコンと称する）９から送信される赤外線信号を受光する受光ユニット等を備えており、ユーザからの指示が入力される。また、入力されたユーザからの指示をマイコン７に出力する。
【００２５】
マイコン７は、ＤＶＤドライブ一体型ＨＤＤレコーダとしての主要動作を制御する。すなわち、リモコン９等に入力されたユーザの指示に従って、チューナ部１が受信するチャンネルを制御する。また、信号処理部３を制御（信号処理部３を介したディスクドライブ部５やＨＤＤ６の制御を含む）することによって、ＤＶＤ１３に記録された映像音声情報を再生して、テレビ受像機１４に表示する制御を行う。また、チューナ部１が受信した番組をＤＶＤ１３に記録する制御を行う。
【００２６】
また、ＨＤＤ６に記録された映像音声情報を再生して、テレビ受像機１４に表示する制御を行う。また、チューナ部１が受信した番組をＨＤＤ６に記録する制御を行う。また、ディスクドライブ部５から出力される映像音声情報をＨＤＤ６に転送する制御、および、ＨＤＤ６から出力される映像音声情報をディスクドライブ部５に転送する制御を行う。
【００２７】
また、マイコン７は、その機能の一部でもって領域確保手段１７、予約実行手段１８、および、入力受付手段１９を構成する。なお、リモコン９と入力回路部８と入力受付手段１９とにより、請求項記載の予約入力手段１０は構成される。
【００２８】
入力受付手段１９は、録画予約が入力されるときには、信号処理部３のオンスクリーンディスプレイ（図示を省略）を制御することによって、録画予約に必要な情報の入力を求める画面を表示する。また、この画面表示に対応して入力された録画予約の情報を記憶する。
【００２９】
図２は、入力受付手段１９によって入力が受け付けされる項目を示しており、項目６１は、録画を実行する日を指定する。なお、指定可能な選択肢は、月と日とにより示される特定の日、毎週の特定の曜日、毎週の月曜日〜木曜日、毎週の月曜日〜金曜日、毎週の月曜日〜土曜日、および、毎日、となっている。項目６２は録画の開始時刻、項目６３は録画の終了時刻、項目６４は受信するチャンネル、項目６５は録画モード、項目６６は録画する記録媒体となっている。
【００３０】
また、項目６７は、入力された録画予約について、録画の実行時に録画可能となっている領域（録画の実行時に空きとなっている領域）に録画を行う通常録画モードとするのか、または、録画予約の入力時に確保された優先記録領域に録画を行う優先録画モードとするのかの指定を行う。項目６８は、放送回数、すなわち、録画する回数となっている。
【００３１】
なお、項目６８の放送回数については、項目６７において優先録画モードが選択され、且つ、項目６１において、毎週の特定の曜日が選択された場合、等のように、録画回数が複数回となる項目が選択された場合にのみ、入力を求められる項目となっている。従って、例えば、項目６７において通常録画モードを選択した場合では、項目６８は、入力項目から省略される。また、項目６７において優先録画モードを選択した場合であっても、項目６１において、月と日とを用いて特定の日付を指定した場合にも、同様に、項目６８は、入力項目から省略される。
【００３２】
領域確保手段１７は、録画予約において優先録画モードが選択された場合に、録画予約された番組の録画に必要となる大きさの優先記録領域を、項目６６においてＨＤＤが選択されたときにはＨＤＤ６上に確保し、項目６６においてＤＶＤが選択されたときにはＤＶＤ１３上に確保する。なお、確保される優先記録領域の大きさは、録画予約された番組の１回の放送分を録画するのに必要となる記録領域の大きさに、項目６７として入力された放送回数を乗じた大きさとなっている。但し、項目６７が入力されなかったときでは、録画回数は１回のみとなるので、このときでは、優先記録領域の大きさは、１回の放送分を録画するのに必要な大きさとなる。
【００３３】
なお、優先記録領域は、優先録画モードに指定された録画予約毎に確保される。そして、一度確保された優先記録領域は、対応する録画予約以外には、使用禁止に設定される。つまり、通常録画モードに指定された録画予約を実行するとき、優先記録領域以外に使用可能な領域が無いときであっても、優先記録領域は使用禁止とされる。また、録画予約に従った録画以外の録画（番組の視聴中に録画キーが操作されたときの録画）の場合にも、優先記録領域への録画は禁止される。
【００３４】
予約実行手段１８は、録画予約が、複数回の録画であり、且つ、優先録画モードに指定されているときでは、録画予約された番組の優先記録領域への録画を、項目６７において入力された放送回数分だけ実行する。また、録画予約が、１回だけの録画であり、且つ、優先録画モードに指定されているときでは、録画予約された番組を、１回だけ、優先記録領域に録画する。また、通常録画モードに指定された録画予約については、優先記録領域を除いた領域であって、空きとなっている領域に録画する。
【００３５】
以下に補足的な説明を行うと、領域確保手段１７は、優先記録領域を確保したときには、確保した優先記録領域の大きさと、優先記録領域を除いた空き領域の大きさとを表示する。また、優先記録領域が確保された録画予約が取り消しされたときには、確保されていた優先記録領域は、その他の録画が可能な空き領域として、開放される。
【００３６】
また、項目６７において入力された回数（例えば、１２回）のうち、一部の回数（例えば、５回）の録画が実行された後において、前記録画予約が取り消しされたときには、前記録画予約のために確保された優先記録領域のうち、番組が録画されずに残った優先記録領域（７回の放送分を録画するための領域）を空き領域として開放する。
【００３７】
また、請求項との対応関係について補足的な説明を行うと、ＨＤＤ６は、Ａ／Ｄ変換部２と信号処理部３とを介することにより、チューナ部１によって受信された番組を、映像音声情報として録画する情報記録媒体となっている。また、ＤＶＤ１３は、Ａ／Ｄ変換部２と信号処理部３とディスクドライブ部５とを介することにより、チューナ部１によって受信された番組を、映像音声情報として録画する情報記録媒体となっている。
【００３８】
図３は、録画予約の入力時の実施形態の主要動作を示すフローチャート、図４は、録画予約の予約内容の入力手順の詳細を示すフローチャート、図５は、録画予約に従った録画時の実施形態の主要動作を示すフローチャート、図６は、録画予約の取り消し時の実施形態の主要動作を示すフローチャートである。必要に応じてこれらの図を参照しつつ、実施形態の動作を説明する。
【００３９】
リモコン９を用いて録画予約に移行する指示を与えると（ステップＳ１）、入力受付手段１９は、録画予約の画面を表示する（ステップＳ２）。そして、この画面を用いて、録画予約したい番組を示すための情報を入力する（ステップＳ３）。このときの入力手順は、図４に示したように、ＥＰＧから録画予約したい番組を指定することによって、月日、録画開始時刻、録画終了時刻、受信するチャンネルの入力に代える（ステップＳ２１）。そして後、録画モードを指定する（ステップＳ２２）。また、録画する記録媒体を指定する（ステップＳ２３）。
【００４０】
図７（Ａ）は、このときの入力の一例を示しており、優先録画モードであるのか通常録画モードであるのかを選択する項目６７の欄には、デフォールト値である通常録画モードを示す『通常』（６７１により示す）が表示されている。また、画面の下方には、バー６９１が表示されている。なお、バー６９１における６９１ａは記録済みの領域の大きさを示し、６９１ｃは空き領域の大きさを示している。
【００４１】
この状態において、項目６７のモードを優先録画モードに変更すると（ステップＳ２４）、図７（Ｂ）に示したように、項目６７の欄には、優先録画モードを示す『優先』（６７２により示す）が表示される。そして、優先録画モードを指定したときには、動作が、ステップＳ４，Ｓ５と移行し、放送回数が複数回となる録画予約であるかどうかが調べられる。
【００４２】
このときでは、項目６１の月日が、毎週の火曜日となっていて、放送回数が複数回となっているので、放送回数が入力項目に追加される。このため、動作は、ステップＳ５からステップＳ６に移行し、『優先』の表示６７２の右側に、放送回数の入力を求める『−』（６８１により示す）が表示されて、放送回数の入力を求める。放送回数を入力すると、入力された放送回数が、項目６８の欄に数値として表示される（図７（Ｃ）の６８２により示す）。
【００４３】
放送回数が入力されると、入力受付手段１９は、録画開始時刻と録画終了時刻と録画モードとから、１回の放送分の録画に必要となる記録領域の大きさを求めた後、求めた大きさに放送回数分を乗じることによって、入力された録画予約の放送分を、第１回目の放送から、第１２回目の放送（最終話の放送）までの全てを録画するのに必要となる記録領域（優先記録領域）の大きさを算出する（ステップＳ７）。そして後、算出した大きさの優先記録領域を確保できるかどうかを調べる（ステップＳ８）。
【００４４】
算出した大きさの優先記録領域を確保できるときには、この優先記録領域を、その他の録画予約や、番組を視聴中に録画キーを操作した録画には使用できない領域として、確保する（ステップＳ９，Ｓ１０）。そして後、優先記録領域が確保されたことを示すため、６９１により示されていたバー表示を、６９３により示すバー表示に変更する。なお、バー表示６９３においては、６９３ｂによって、確保された優先記録領域の大きさが示され、６９３ｃによって、優先記録領域を除いた空き領域の大きさが示されるようになっている。そして、次の録画予約の入力となるときには、動作は、ステップＳ１２からステップＳ３に移行する。以下、同様の繰り返しとなる。
【００４５】
なお、算出された優先記録領域を確保可能がどうかを調べるステップＳ８において、空き領域が小さく、算出された大きさの優先記録領域を確保できなかったときには、動作は、ステップＳ９からステップＳ１６に移行し、図８（Ｃ）に示したように、必要な大きさの優先記録領域を確保できなかったことを示すメッセージ６９９を表示する（バー表示６９５の６９５ａは記録済みの領域、６９５ｃは空き領域を示している）。
【００４６】
いま、図７（Ｃ）に示した１番目の録画予約の入力が終了したことから、図８（Ａ）に示したように、２番目の録画予約が入力されたとする。また、この録画予約については、通常録画モードが指定されたとする。このときでは、放送回数が複数回となっているにもかかわらず、動作は、ステップＳ４から、次の録画予約を入力するかどうかの判定のステップＳ１２に移行する。つまり、放送回数の入力を求められることなく、且つ、入力された録画予約に対応する優先記録領域が確保されることなく、２番目の録画予約が完了する（従って、バー表示は、６９３に示す表示から変更されない）。
【００４７】
さらに、録画予約が続けられたとする。図８（Ｂ）は、４つの録画予約が入力されたときの表示状態を示しており、４番目の録画予約においては、優先録画モードが指定されている。しかし、このときでは、項目６１の録画の月日の値が、特定の月日を示す値となっていて、放送回数が複数回とはなっていない。従って、このときでは、ステップＳ５に続く動作は、ステップＳ１５となって、１回の放送分の録画に必要となる優先記録領域の大きさが算出される。
【００４８】
そして後、ステップＳ８の動作に移行し、算出した優先記録領域を確保できるかどうかを調べる。以下、同様の動作となる。つまり、優先録画モードに指定した場合であっても、項目６１に入力された値が、放送回数が１回となることを示す場合、放送回数の入力を求める『−』は表示されず、放送回数の入力は省略されたままとなる。また、バー表示は、６９４に示す表示となり、優先記録領域の大きさが、６９４ｂとなって、増加したことが示される（６９４ｃは優先記録領域を除いた空き領域の大きさを示している）。
【００４９】
上記方法によって入力された録画予約の実行となるときには、予約実行手段１８は、実行する録画予約が、優先録画モードに指定されているのか、または、通常録画モードに指定されているのかを調べる（ステップＳ３１）。そして、優先録画モードに指定されているときには、実行する録画予約に対応して確保された優先記録領域に録画を行う（ステップＳ３２，Ｓ３９）。従って、優先録画モードに指定された録画予約については、録画のための領域が、優先記録領域として予め確保されているため、録画時に、空き領域が無い、あるいは、空き領域が小さい、等の理由によって、全く録画できない、あるいは、ビットレートを指定された値より低くした録画モードによってしか録画できない、という事態の発生が防止される。
【００５０】
一方、実行する録画予約が通常録画モードに指定されているときでは、録画済みの領域と優先記録領域として確保された領域とを除いた領域、すなわち、空き領域の大きさが、録画を行うのに充分な大きさであるかどうかを調べる（ステップＳ３２，Ｓ３３）。そして、録画を行うのに充分な大きさであるときには、録画予約に従って空き領域に番組を録画する（ステップＳ３４，Ｓ３５）。一方、空き領域の大きさが、録画を行うのに充分な大きさでないときには、録画可能な時間分だけ、録画予約に従って空き領域に番組を録画する（ステップＳ３４，Ｓ３８）。
【００５１】
また、入力受付手段１９は、既に入力された録画予約の取り消しを行った場合（ステップＳ４１）、取り消しされた録画予約が、優先録画モードに指定されていたのか、または、通常録画モードに指定されていたのかを調べる（ステップＳ４２）。そして、優先録画モードに指定されていたときには、取り消しされた録画予約のために確保されていた優先記録領域を、その他の録画に自由に使用できるように、空き領域として開放する（ステップＳ４３，Ｓ４４）。一方、取り消しされた録画予約が通常録画モードに指定されていたときでは、確保されている全ての優先記録領域は、優先録画モードに指定されたその他の録画予約のための優先記録領域であるため、優先記録領域の開放を行わない。
【００５２】
なお、取り消しされた録画予約が、複数回の録画を示す録画予約であり、その一部の回数の録画が済んでいる場合では、残る回数の録画のために確保されている優先記録領域は開放されるが、既に録画済みの領域については、記録済みの領域として、録画した内容を保存する。
【００５３】
なお、上記説明においては、情報記録媒体をＨＤＤ６とした場合について説明したが、情報記録媒体をＤＶＤ１３とする場合にも、同様となる。但し、録画予約を入力して後、ＤＶＤ１３の取り換えを行ったときでは、空き領域の大きさが変化する。このため、録画先をＤＶＤ１３とする録画予約において優先記録領域を確保した場合、ＤＶＤ１３が交換されると、優先記録領域は確保されていないものとして扱うようになっている。従って、このときでは、項目６７における指定が優先録画モードとなっている録画予約（録画先がＤＶＤ１３）については、ＤＶＤ１３が交換された場合、自動で、項目６７の指定が通常録画モードに変更される（録画画面における項目６７の表示も、自動で変更される）。
【００５４】
なお、本発明は上記実施形態に限定されず、ＤＶＤドライブ一体型ＨＤＤレコーダに適用した場合について説明したが、その他の装置として、例えば、使用可能な情報記録媒体が、ＤＶＤ等の光ディスクのみである光ディスクレコーダ（ＤＶＤレコーダ等）や、使用可能な情報記録媒体がハードディスクドライブ部のみであるＨＤＤレコーダ、等の場合にも、同様に適用することができる。
【図面の簡単な説明】
【００５５】
【図１】本発明に係る映像音声記録装置の一実施形態であるＤＶＤドライブ一体型ＨＤＤレコーダの電気的構成を示すブロック線図である。
【図２】録画予約の入力時の入力項目の一覧を示す説明図である。
【図３】録画予約の入力時の実施形態の主要動作を示すフローチャートである。
【図４】録画予約の予約内容の入力手順の詳細を示すフローチャートである。
【図５】録画予約に従った録画時の実施形態の主要動作を示すフローチャートである。
【図６】録画予約の取り消し時の実施形態の主要動作を示すフローチャートである。
【図７】録画予約の入力時の表示状態を示す説明図である。
【図８】録画予約の入力時の表示状態を示す説明図である。
【符号の説明】
【００５６】
１  チューナ部
６  ハードディスクドライブ部（情報記録媒体）
１０  予約入力手段
１３  ＤＶＤ（情報記録媒体）
１７  領域確保手段
１８  予約実行手段
６８  放送回数が入力される項目
６８２  入力された放送回数
【図１】
2006332865.tif 000003
【図２】
2006332865.tif 000004
【図３】
2006332865.tif 000005
【図４】
2006332865.tif 000006
【図５】
2006332865.tif 000007
【図６】
2006332865.tif 000008
【図７】
2006332865.tif 000009
【図８】
2006332865.tif 000010